(57)【要約】  【課題】  催し物の変更情報などを通知するディスプレイを時代劇テーマパークに設置すると、せっかくの景観や雰囲気が台無しになってしまうこと。  【解決手段】  催し物の変更情報などを時代劇テーマパークの景観や雰囲気を台無しにしてしまう大型ディスプレイを用いるのではなく、役者の演技によって伝達する。催し物の変更情報を受け付けると、演技内容データベース４から演技内容情報を読み込んで、読み込んだ演技内容情報を役者担当スタッフ２の所持する役者端末３に情報送信手段によって送信し、役者担当スタッフ２の準備完了を確認すると、演技の起点となる役者担当スタッフ２−２の所持する役者端末３−２に演技開始指示情報を情報送信手段によって送信する。  【選択図】    図１
2005301680.tif 000002
【特許請求の範囲】
【請求項１】
催し物の変更を演技によって伝達する役者担当スタッフの演技を支援する演技支援システムであって、
前記役者担当スタッフに指示する演技の内容を演技内容情報として記憶する演技内容データベースと
前記催し物の変更情報を受け付けると、前記演技内容データベースから前記演技内容情報を読み込んで、読み込んだ前記演技内容情報を前記役者担当スタッフの所持する役者端末に送信する情報送信手段とを備え、
前記役者担当スタッフの準備完了を確認すると、前記情報送信手段は、演技の起点となる役者担当スタッフの所持する役者端末に演技開始指示情報を送信することを特徴とする演技支援システム。
【請求項２】
催し物の変更を演技によって伝達する役者担当スタッフの演技を支援する演技支援システムを用いた演技支援方法であって、
前記役者担当スタッフに指示する演技の内容を演技内容情報として演技内容データベースに記憶し、
前記催し物の変更情報を受け付けると、前記演技内容データベースから前記演技内容情報を読み込んで、読み込んだ前記演技内容情報を前記役者担当スタッフの所持する役者端末に情報送信手段によって送信し、
前記役者担当スタッフの準備完了を確認すると、演技の起点となる役者担当スタッフの所持する役者端末に演技開始指示情報を前記情報送信手段によって送信することを特徴とする演技支援方法。
【発明の詳細な説明】
【技術分野】
【０００１】
本発明は、役者支援、特に催し物の予定変更などを演技で伝える役者の演技を支援する役者支援システム及び方法に関する。
【背景技術】
【０００２】
役者に指示を与える先行実用新案文献として、実開平５−６２５２４号公報が挙げられる。この先行実用新案文献では、舞台に出演中の役者のかつらに備えられたスピーカを介して舞台のそでの介添え者からの指示を役者に伝える技術が開示されている。ただし、これは介添え者が持つマイクと役者のかつらに供えられたスピーカとが無線によって接続されているに過ぎない。
【０００３】
通りかかる人に情報を通知する先行特許文献として、特開２００２−３０４５７４号公報が挙げられる。この先行特許文献では、コントロールセンタが受け付けた情報を大型表示装置に表示することによって、その前を通りがかった人に情報を伝達する技術が開示されている。
【０００４】
【特許文献１】実開平５−６２５２４号公報
【特許文献２】特開２００２−３０４５７４号公報
【発明の開示】
【発明が解決しようとする課題】
【０００５】
京都太秦に時代劇をテーマとする時代劇テーマパークがある。この地にはもともと昭和初期に開設され、現在もテレビ番組や映画の撮影をする撮影所があり、この撮影所が持つオープンセットの部分を時代劇テーマパークとして一般来場者に開放する形で昭和５０年にオープンした。オープン当初、娯楽施設の少なさやモノ珍しさもあって多くの人がこの時代劇テーマパークに押し寄せ、その後もその先見性によって安定した来場者を日本の各地から集めることとなり、観光名所の多い京都の中でも「京都に行くなら一度は行ってみたい」と思わせる独自の地位を築き上げるに至った。
【０００６】
このような時代劇テーマパークでは、これまであまり時代劇に馴染みのない人たちにも「時代劇ってこんなにおもしろかったんだ」などと思ってもらえるように、時代劇の撮影そのものを公開している。ところが、オープンセットを利用した屋外の撮影は天候に左右されることが多く、例えば天気予報では晴れであっても急に曇ってきたり時雨れたりすると、撮影そのものが中止されてしまうこともよくある。
【０００７】
しかし、特開２００２−３０４５７４号公報に開示されるようなディスプレイをテーマパーク内に設置すると、時代劇にそぐわないディスプレイの外観によって時代劇テーマパークの景観や雰囲気が台無しになるだけでなく、撮影のジャマとなる対象物をカメラアングルからすべて排除する撤去作業が円滑な撮影の妨げにもなってしまうという問題点があった。
【課題を解決するための手段】
【０００８】
本発明の本質は、催し物の予定変更などをテーマパークの景観や雰囲気を台無しにするディスプレイでテーマパークの来場者に通知するのではなく、役者の演技によって伝達するために、その役者を支援する仕組みを提供することである。
【０００９】
本発明は、催し物の変更を演技によって伝達する役者担当スタッフの演技を支援するために、前記役者担当スタッフに指示する演技の内容を演技内容情報として演技内容データベースに記憶し、前記催し物の変更情報を受け付けると、前記演技内容データベースから前記演技内容情報を読み込んで、読み込んだ前記演技内容情報を前記役者担当スタッフの所持する役者端末に情報送信手段によって送信し、前記役者担当スタッフの準備完了を確認すると、演技の起点となる役者担当スタッフの所持する役者端末に演技開始指示情報を前記情報送信手段によって送信するようにした。
【発明の効果】
【００１０】
以上記載の本発明によれば、テーマパークの景観や雰囲気を台無しにすることなく、催し物の変更を来場者に伝達することが出来る。例えば、テーマパークの催し物として時代劇の撮影が中止となることは来場者にとっても残念なことではあろうが、このようなネガティブな情報であってもネタにして役者担当スタッフが演技によって伝えてくれるので、来場者も中止になったこと自体は仕方のないこととして、少なからず満足してもらえる効果が期待できる。
【発明を実施するための最良の形態】
【００１１】
以下に、本発明に係る役者支援システムの具体的実施の形態を、図面を参照して詳細に説明する。
【００１２】
図１は、本発明の実施形態における役者支援システムが支援する役者の演技概要を説明する説明図である。
【００１３】
同図において、天候等の理由で予定していた催し物（図例では、時代劇の撮影）が突然中止となると（説明図の第１コマめ）、テーマパークの来場者１に催し物中止を伝えるために役者担当スタッフ２の持つ役者端末３に催し物管理システムサーバ４から演技指示情報が送信される。第１の役者担当スタッフ２−１が所持する役者端末３−１の表示画面には演技指示情報として「本日２時から予定していた時代劇撮影が中止。Ａ地点で待機し、『はち（子分の役名）』役の登場を待て。『はち』役から撮影中止を聞いて悔しがる親分役。」が表示されており、第２の役者担当スタッフ２−２が所持する役者端末３−２の表示画面には演技指示情報として「本日２時から予定していた時代劇撮影が中止。Ｂ地点からＡ地点まで駆けていく。撮影中止を親分役に伝える子分の『はち（子分の役名）』役。」が表示されている（説明図の第２コマめ）。演技指示情報には、あらかじめ何通りかの演技パターンがテンプレートとして用意しておいて、来場者１に伝えるべき情報（図例では、時代劇Ａの撮影中止のこと）に合わせて選択したテンプレートに当てはめるとよい。
【００１４】
役者端末３−２を介して演技指示情報を受け取った第２の役者担当スタッフ２−２は、例えば「てぇーへんだ、てぇーへんだ、親分！」などと大声で叫びながら、第１の役者担当スタッフ２−１の元へ駆けていく。第２の役者担当スタッフ２−２がそう言いながら掛けてくると、（役者端末３−１を介して演技指示情報をすでに受け取っている）第１の役者担当スタッフ２−１は、例えば「なんでぃ、はち！」などのセリフで応える（説明図の第３コマめ）。第１の役者担当スタッフ２−１に呼びかけられた第２の役者担当スタッフ２−２は、例えば「今日、予定していた時代劇の撮影が中止ですぜ！」と来場者１の前で第１の役者担当スタッフ２−１に伝えると、それを聞いた第１の役者担当スタッフ２−１は、例えば「いたたた。なんてこったい。すごく楽しみにしていたのによ、俺は。」などと応える（説明図の第４コマめ）。
【００１５】
時代劇の撮影が中止となることは来場者１にとっても残念なことではあろうが、このようなネガティブな情報であってもネタにして役者担当スタッフ２が演技によって伝えてくれるので、来場者１も中止になってこと自体は仕方のないこととして、少なからず満足してもらえる効果が期待できる。
【００１６】
図２は、本発明の実施形態における役者支援システムの仕組みを説明する説明図である。
【００１７】
同図において、催し物管理システムサーバ４は、催し物運営者６から催し物の変更情報を受け付けると、演技情報ＤＢ（データベース）５から演技指示情報を読み込んで、読み込んだ演技指示情報を役者担当スタッフ２の所持する役者端末３に送信する。催し物管理システムサーバ４は、テーマパーク内で催される催し物を管理するシステムのサーバではあるが、役者担当スタッフ２に提供する演技指示情報を記憶するデータベースを備え、役者担当スタッフ２の演技を支援するので、役者支援システムサーバの機能も有すると考えてよい。演技指示情報を受信した役者端末３は、受信した演技指示情報を情報出力部に出力する。演技指示情報の情報出力部への出力は、例えば視覚情報として情報表示部に出力したり、聴覚情報として音声出力部から音声出力したりするが、役者担当スタッフ２にその内容が伝わればその手段は特に問わない。
【００１８】
役者端末３を介して演技指示情報を受け取った第２の役者担当スタッフ２は、演技指示情報に指示された指定エリアに向かう。演技指定エリアは、テーマパークの敷地内の地図情報を用いて役者担当スタッフ２に示されてもよく、この場合は指定エリアを明記した地図情報が催し物管理システムサーバ４で実行される処理によって演技指示情報に付与されることとなる。指定エリアに到着した役者担当スタッフ２は役者端末３を介して準備完了通知情報を送信するか、指定エリアに設置された進入検知部２４（図示せず）によって検知された役者担当スタッフ２の（指定エリア内への）進入検知を示す進入検知情報を受信すると、催し物管理システムサーバ４は役者担当スタッフ２の準備完了を判断することが出来る。
【００１９】
図３は、本発明の実施形態における役者支援システムの仕組みを説明する説明図である。
【００２０】
同図において、演技実行の対象となる指定エリアをすべてカバーするようにテーマパークの敷地における屋内および屋外にはあらかじめ場所情報タグ８が設置されていると、役者端末３は、場所情報タグ８から場所情報を取得することが出来る。ここで言うところの場所情報タグ８とは、設置される場所を示す場所情報をあらかじめ記憶領域に記憶し、記憶する場所情報を周囲に存在する機器に対して常時出力し続けるか、周囲に存在する機器からの要望に応じて出力するものである。
【００２１】
また役者端末３は、位置情報を提供する位置情報提供システム７から場所情報の元となる位置情報を取得するようにしてもよい。位置情報提供システム７とは、例えばＧＰＳ（全地球測位システム）における電波を発する人工衛星のことであり、この人工衛星が発する電波を元情報として地球上の緯度経度を地理上の絶対座標として算出し、算出した緯度経度を地図情報と照らし合わせることによって、地図上の場所を判断することも出来る。役者端末３は、このように位置情報提供システム８または場所情報タグ７から情報を受信して、受信した情報を処理することによって端末の現在場所を取得し、取得した情報を役者端末３が現在いる現在場所情報として催し物管理システムサーバ４に送信する。役者端末３は、役者担当スタッフ２が所持しているので、端末が現在いる場所は役者担当スタッフ２がいる場所を示している。
【００２２】
図４は、本発明の実施形態における役者支援システムの仕組みを説明する説明図である。
【００２３】
同図において、催し物管理システムサーバ４は、演技指示情報を送信した役者担当スタッフ２が所持する役者端末３から受信した準備完了通知情報、または進入検知部２４（図示せず）から受信した進入検知情報によって、すべての役者担当スタッフ２の準備完了を確認してから、演技の起点となる役者担当スタッフ２の所持する役者端末３（図例では、役者端末３−２）に演技開始指示情報を送信する。演技開始指示情報を受信した第２の役者端末３−２は、演技開始指示情報に基づいて演技開始を第２の役者担当スタッフ２−２に指示する。第２の役者端末３−２から第２の役者担当スタッフ２−２への演技開始の指示は、例えば視覚情報として情報表示部に出力したり、聴覚情報として音声出力部から音声出力したり、振動子を振動させたりするが、第２の役者担当スタッフ２−２に演技開始が伝わればその手段は特に問わない。
【００２４】
図５は、本発明の実施形態における役者端末のハードブロック図である。
【００２５】
同図において、情報入出力部９とは、役者端末３が役者担当スタッフ２と種々のやりとりをするための入出力機能を持つ部位であり、大まかに情報入力部９−１と情報出力部９−２で構成される。情報入力部９−１における入力装置としては、例えばテンキーやカナキー、タッチスイッチ、音声入力などが該当し、役者担当スタッフ２の入力が役者端末３に対して情報を伝達するものなら、その種類は問わない。また情報出力部９−２における出力装置としては、例えばディスプレイ、音声出力装置などが該当し、役者担当スタッフ２に対して役者端末３から情報を伝達できるものなら、その種類は問わない。場所情報取得部１０とは、役者端末３が存在する場所（役者端末３が現在いる現在場所）を取得する部位のことであり、場所情報を記憶する場所情報タグやＧＰＳ（全地球測位システム）などから取得した情報に基づいて場所を特定し、特定した場所を示す情報を場所情報として出力する。演算部１１とは、役者端末３がプログラムを実行することによって各機能を駆動、処理するための演算機能を持つ部位であり、一般にＣＰＵ（中央演算装置）で構成される。メモリ部１２とは、役者端末３の目的を達成するために必要なプログラムやデータを記憶する記憶エリアと演算部１１が実行するプログラムの実行エリアの部位である。通信部１３とは、催し物管理システムサーバ４や進入検知部２４（図示せず）などの種々のシステムや機器との通信を制御する部位である。なお、催し物管理システムサーバ４は、役者端末３からリアルタイムに受信する場所情報を用いると、進入検知部２４（図示せず）を用いずとも役者担当スタッフ２の指定エリアへの進入を検知することが出来る。
【００２６】
図６は、本発明の実施形態における催し物管理システムサーバのハードブロック図である。
【００２７】
同図において、情報入出力部１５とは、催し物管理システムサーバ４が催し物運営者６と種々のやりとりをするための入出力機能を持つ部位であり、大まかに情報入力部１５−１と情報出力部１５−２で構成される。情報入力部５−１における入力装置としては、例えばキーボード、テンキー、マウス、バーコードリーダ、音声入力などが該当し、催し物運営者６の入力がシステムに対して情報を伝達するものなら、その種類は問わない。また情報出力部１５−２における出力装置としては、例えばディスプレイ、プリンタ、音声出力装置などが該当し、催し物運営者６に対してシステムから情報を伝達できるものなら、その種類は問わない。演算部１６とは、プログラムを実行することによって各機能を駆動、処理するための演算機能を持つ部位であり、一般にＣＰＵ（中央演算装置）で構成される。メモリ部１７とは、演算部１６が実行するプログラムの実行エリアの部位である。通信部１８とは、ネットワーク１４を介して役者端末３および進入検知部２４（図示せず）などとの通信を制御する部位である。ＤＢ管理部１９とは、様々なデータ構造とデータ実体を管理する機能を持つ部位である。
【００２８】
ＤＢ管理部１９に管理される処理プログラム２０とは、催し物管理システムサーバ４の利用目的を達成するために必要なプログラムのことであり、ＯＳ（オペレーティングシステム）もここに含まれる。同様に演技情報ＤＢ５とは、役者担当スタッフ２の演技支援に関わるプログラム処理に必要な制御テーブルや演技指示情報および演技開始指示情報などを記憶するデータベースのことである。演技情報ＤＢ５には、サーバ操作者でもある催し物運営者６が演技指示情報のテンプレートおよび演技開始情報などを新規作成、追加、修正などの処理を実行するためのソフトウェアなどが記憶されていてもよい。同様に識別情報ＤＢ２１とは、役者担当スタッフ２を識別するために役者担当スタッフ２ごとに対してあらかじめ割り当てた識別情報を記憶するデータベースのことである。地図情報ＤＢ２２とは、役者担当スタッフ２による演技実行されるテーマパークの敷地内の地図情報が記憶されており、役者担当スタッフ２に対して演技開始まで待機する待機場所の指示や指定エリアを指示するために地図情報が用いられたりする。
【００２９】
図７は、本発明の実施形態における催し物管理システムサーバの機能ブロック図である。
【００３０】
同図において、催し物管理システムサーバ４は、情報入力部１５−１または外部システム２３から催し物の変更情報を受け付けて、プログラムを実行するための制御テーブルを生成する機能と、生成した制御テーブルを参照して、（受け付けた催し物の変更は）役者による伝達要否を判断する機能と、制御テーブルに従って演技指示情報を演技情報ＤＢ５から読み込む機能と、制御テーブルに従って役者端末３に演技指示情報を送信する機能とを有する。ここで言うところの外部システム２３とは、催し物管理システムサーバ４が管理する催し物の変更情報を催し物管理システムサーバ４に送信する、催し物管理システムとは異なるシステムのことである。複数のシステムが連携して処理を実行している場合には、催し物管理システムサーバ４は外部システム２３から催し物の変更情報を受信することがある。
【００３１】
さらに、催し物管理システムサーバ４は、役者端末３から準備完了通知情報を受信する機能と、指定エリアに設置された進入検知部２４が進入検知した識別情報を受信する機能と、（受信した識別情報と照合するための）識別情報を識別情報ＤＢ２１から読み出して、読み出した識別情報と受信した識別情報とを照合する機能と、受信した準備完了情報または照合結果に基づいて制御テーブルのステート情報を参照し、参照した制御テーブルに従ってすべての役者担当スタッフ２が準備完了であるか否かを判断する機能と、制御テーブルに従って演技の起点となる役者担当スタッフ２を判断する機能と、演技の起点となる役者担当スタッフ２の所持する役者端末３に演技開始指示情報を送信する機能とを有する。
【００３２】
図８は、本発明の実施形態における役者端末の機能ブロック図である。
【００３３】
同図において、場所情報取得部１０の機能は、位置情報提供システム７から地理上の絶対座標算出の元となる元情報を取得する機能、または場所情報を出力する場所情報タグ８から場所情報を取得する機能で構成されている。場所情報取得部１０から０役者端末３の現在いる場所を示す場所情報を更新する機能は、場所情報取得部１０から取得した元情報から地理上の絶対座標を算出する機能と、算出した絶対座標から地図上の場所を判断する機能と、地図上の場所の判断結果を役者端末３が（つまり、役者担当スタッフ２が）現在いる場所として端末のメモリ部１２に記憶する機能とで構成されてもよいし、位置情報／場所情報取得部１０から取得した場所情報を役者端末３が（つまり、役者担当スタッフ２が）現在いる場所として端末のメモリ部１２に記憶する機能とで構成されてもよいし、その両方で構成されてもよい。
【００３４】
役者端末３は、さらに場所情報が更新されたか否かを判断する機能と、場所情報が更新された場合には、更新された場所情報をメモリ部１２から読み出して催し物管理システムサーバ４に送信する機能とを有する。
【００３５】
図９は、本発明の実施形態における催し物管理システムサーバの機能ブロック図である。
【００３６】
同図において、催し物管理システムサーバ４は、更新された場所情報を役者端末３から受信する機能と、受信した場所情報が指定エリア内か否かを判断する機能と、判断結果に基づいて、制御テーブルのステート情報を参照し、参照した制御テーブルに従ってすべての役者担当スタッフ２が準備完了であるか否かを判断する機能と、制御テーブルに従って演技の起点となる役者担当スタッフ２を判断する機能と、演技の起点となる役者担当スタッフ２の所持する役者端末３に演技開始指示情報を送信する機能とを有する。
【００３７】
図１０は、図７に示す機能ブロック図に対応する催し物管理システムサーバの演算部におけるフローチャートである。
【００３８】
同図において、催し物管理システムサーバ４は、情報入力部１５−１または外部システム２３から催し物の変更情報を受け付けると（ＳＴ１００１）、プログラムを実行するための制御テーブルを生成し、生成した制御テーブルを参照し（ＳＴ１００２）、（受け付けた催し物の変更は）役者による伝達要否を判断して（ＳＴ１００３）、伝達不要の場合には、そのまま処理を終了し、伝達要の場合には、制御テーブルに従って演技指示情報を演技情報ＤＢ５から読み込み（ＳＴ１００４）、制御テーブルに従って役者端末３に演技指示情報を送信して（ＳＴ１００５）、処理を終了する。役者端末３は、催し物管理システムサーバ４から演技指示情報を受信すると、受信した演技指示情報をメモリ部１２に記憶し（ＳＴ１００６）、メモリ部１２に記憶した演技指示情報を情報出力部９−２に出力して（ＳＴ１００７）、処理を終了する。
【００３９】
図１１は、図７に示す機能ブロック図に対応する催し物管理システムサーバの演算部におけるフローチャートである。
【００４０】
同図において、役者端末３は、情報入力部９−１から準備完了を示す入力を受け付けると（ＳＴ１１０１）、準備完了通知情報を催し物管理システムサーバ４に送信して（ＳＴ１１０２）、処理を終了する。催し物管理システムサーバ４は、役者端末３から準備完了通知情報を受信すると、受信した準備完了情報に基づいて制御テーブルのステート情報を変更し（ＳＴ１１０３）、制御テーブルのステート情報を参照して、すべての役者担当スタッフ２が準備完了であるか否かを判断して（ＳＴ１１０４）、すべての役者担当スタッフ２が準備完了ではなかった場合にはＳＴ１１０３に戻り、すべての役者担当スタッフ２が準備完了であった場合には、制御テーブルに従って演技の起点となる役者担当スタッフ２を判断し（ＳＴ１１０５）、演技の起点となる役者担当スタッフ２の所持する役者端末３に演技開始指示情報を送信して（ＳＴ１１０６）、処理を終了する。演技の起点となる役者担当スタッフ２が所持する役者端末３は、催し物管理システムサーバ４から演技開始指示情報を受信すると、演技開始を情報出力部に出力して（または、振動子を振動させて）役者担当スタッフ２に演技開始を通知し（ＳＴ１１０７）、処理を終了する。
【００４１】
図１２は、図７に示す機能ブロック図に対応する催し物管理システムサーバの演算部におけるフローチャートである。
【００４２】
同図において、進入検知部２４は、指定エリアに進入した識別情報を検知すると（ＳＴ１２０１）、検知した識別情報を（進入を示すフラグとともに）催し物管理システムサーバ４に送信して（ＳＴ１２０２）、処理を終了する。催し物管理システムサーバ４は、進入検知部２４から進入検知した識別情報を受信すると、（受信した識別情報と照合するための）識別情報を識別情報ＤＢ２１から読み出して、読み出した識別情報と受信した識別情報とを照合し（ＳＴ１２０３）、照合結果に基づいて制御テーブルのステート情報を変更し（ＳＴ１２０４）、制御テーブルのステート情報を参照して、すべての役者担当スタッフ２が準備完了であるか否かを判断して（ＳＴ１２０５）、すべての役者担当スタッフ２が準備完了ではなかった場合にはＳＴ１２０３に戻り、すべての役者担当スタッフ２が準備完了であった場合には、制御テーブルに従って演技の起点となる役者担当スタッフ２を判断し（ＳＴ１２０６）、演技の起点となる役者担当スタッフ２の所持する役者端末３に演技開始指示情報を送信して（ＳＴ１２０７）、処理を終了する。演技の起点となる役者担当スタッフ２が所持する役者端末３は、催し物管理システムサーバ４から演技開始指示情報を受信すると、演技開始を情報出力部に出力して（または、振動子を振動させて）役者担当スタッフ２に演技開始を通知し（ＳＴ１２０８）、処理を終了する。
【００４３】
図１３は、図８に示す機能ブロック図に対応する役者端末の演算部におけるフローチャートである。
【００４４】
同図において、役者端末３は、場所情報の更新要求を受け付けると（ＳＴ１３０１）、位置情報提供システム７から地理上の絶対座標算出の元となる元情報を取得し（ＳＴ１３０２）、取得した元情報から地理上の絶対座標を算出し（ＳＴ１３０３）、算出した絶対座標から地図上の場所を判断し（ＳＴ１３０４）、地図上の場所の判断結果を役者端末３が（つまり、役者担当スタッフ２が）現在いる場所としてメモリ部１２に記憶して（ＳＴ１３０５）、処理を終了する。
【００４５】
図１４は、図８に示す機能ブロック図に対応する役者端末の演算部におけるフローチャートである。
【００４６】
同図において、役者端末３は、場所情報の更新要求を受け付けると（ＳＴ１４０１）、場所情報を出力する最寄りの場所情報タグ８から場所情報を取得し（ＳＴ１４０２）、取得した場所情報を役者端末３が（つまり、役者担当スタッフ２が）現在いる場所としてメモリ部１２に記憶して（ＳＴ１４０３）、処理を終了する。
【００４７】
図１５は、図９に示す機能ブロック図に対応する催し物管理システムサーバの演算部におけるフローチャートである。
【００４８】
同図において、役者端末３は、メモリ部１２に記憶される場所情報が更新されたと判断すると（ＳＴ１５０１）、更新された場所情報をメモリ部１２から読み出して催し物管理システムサーバ４に送信して（ＳＴ１５０２）、処理を終了する。催し物管理システムサーバ４は、更新された場所情報を役者端末３ら受信すると、受信した場所情報が指定エリア内か否かを判断し（ＳＴ１５０３）、指定エリア内でない場合にはＳＴ１５０３に戻り、指定エリア内であった場合には、判断結果に基づいて制御テーブルのステート情報を変更し（ＳＴ１５０４）、制御テーブルのステート情報を参照して、すべての役者担当スタッフ２が準備完了であるか否かを判断して（ＳＴ１５０５）、すべての役者担当スタッフ２が準備完了ではなかった場合にはＳＴ１５０３に戻り、すべての役者担当スタッフ２が準備完了であった場合には、制御テーブルに従って演技の起点となる役者担当スタッフ２を判断し（ＳＴ１５０６）、演技の起点となる役者担当スタッフ２の所持する役者端末３に演技開始指示情報を送信して（ＳＴ１５０７）、処理を終了する。演技の起点となる役者担当スタッフ２が所持する役者端末３は、催し物管理システムサーバ４から演技開始指示情報を受信すると、演技開始を情報出力部に出力して（または、振動子を振動させて）役者担当スタッフ２に演技開始を通知し（ＳＴ１５０８）、処理を終了する。
【００４９】
図１６および図１７は、本発明の実施形態における制御テーブルの具体例である。
【００５０】
同図において、催し物管理システムサーバ４は、情報入力部１５−１または外部システム２３から催し物の変更情報として催し物割当コードと変更内容識別子（これらのコードと識別子の組み合わせて、どの催し物がどう変更されたかを催し物管理システムサーバ４は判断することが出来る）を受信する。第１の制御テーブルには、変更内容ごとに役者担当スタッフ２による伝達要否と変更内容識別子が示されている。また、第２の制御テーブルには、催し物の情報として催し物割当コードと時間帯情報および催し物エリアが管理されている。
【００５１】
例えば、催し物管理システムサーバ４は、時代劇Ａの撮影を示す催し物割当コード「ＡＴ０１」と撮影中止を示す変更情報識別子「ＣＮＧ１０１」を受信すると、時代劇Ａの撮影が中止となったと判断することが出来る。催し物システムサーバ４は、受信した変更情報識別子「ＣＮＧ１０１」に基づいて第１の制御テーブルの「役者による伝達要否」を参照し、「要」を取得することにより、役者担当スタッフ２による伝達が必要であると判断する。これらの処理はＳＴ１００３に対応する。
【００５２】
次に催し物管理システムサーバ４は、役者担当スタッフ２による伝達が必要であると判断した場合には、さらに第１の制御テーブルに示される第１の役者向け演技指示情報テンプレートの識別子「ＣＮＧ１０１ＴＰ１」と第２の役者向け演技指示情報テンプレートの識別子「ＣＮＧ１０１ＴＰ２」をそれぞれ取得し、取得した識別子を用いて演技情報ＤＢ５から演技指示情報テンプレート情報を読み込む。次に受信した催し物割当コード「ＡＴ０１」に基づいて第２の制御テーブルを参照し、読み込んだテンプレートに例えば「（奉行所前で）本日午後２時から予定していた時代劇Ａの撮影が中止」を組み込んで演技指示情報を生成する。その具体例は図１の第２コマめに示すとおりである。これらの処理はＳＴ１００４に対応する。なお、役者担当スタッフ２に指示する指定エリア（役者担当スタッフ２が演技するために向かう場所のこと。具体的には図１に示すＡ地点、Ｂ地点）が演技に合わせて決められているのであれば、指定エリアはテンプレートに書き込まれているとよい。また、指定エリアを柔軟に変更したい場合には、指定エリアを管理する制御テーブルがあってもよく、テーマパークの来場者１の分布に合わせて来場者１が最も多く集まっている場所を指定エリアにすることも出来し、複数の場所で複数組の役者担当スタッフ２を手配し、異なる場所を指定エリアに選択することによって、テーマパーク内をまんべんなく網羅した伝達が可能となる。
【００５３】
さらに催し物管理システムサーバ４は、役者担当スタッフ２の所持する役者端末３を管理する制御テーブルを参照し、第１の役者端末３−１と第２の役者端末３−２の通信アドレスを取得して、取得した通信アドレスを用いて生成した演技指示情報を送信する。これらの処理はＳＴ１００５に対応する。なお、演技指示情報には、指定エリアを示す地図情報が付与されていてもよい。
【００５４】
図１８は、本発明の実施形態における制御テーブルの具体例である。
【００５５】
同図において、第３の制御テーブルは、演技指示内容を送信した役者担当スタッフ２の所持する役者端末３のメモリ部１２または情報記憶媒体の情報記憶部に記憶されている役者識別コードを、役者端末識別子または情報記憶媒体識別子として管理する制御テーブルである。催し物管理システムサーバ４は、進入検知部２４から受信した識別情報を第３の制御テーブルに記憶する識別コードと照合して、照合結果が一致した場合には第３の制御テーブルの該当するステート情報を「準備未完了」から「準備完了」に変更する。これらの処理はＳＴ１２０３〜ＳＴ１２０５に対応する。
【００５６】
催し物管理システムサーバ４は、第３の制御テーブルのステート情報がすべて「準備完了」となったらすべての役者担当スタッフ２は準備が完了したと判断して、第１の制御テーブルを参照して演技の起点となる役者担当スタッフ２を判断する。例えば、変更内容識別子が「ＣＮＧ１０１」であった場合には、第１の制御テーブルを参照して「第２の役者」を得ることが出来るので、第２の役者担当スタッフ２−１の所持する役者端末３−１の通信アドレスを用いて演技開始指示情報を送信する。これらの処理はＳＴ１２０６とＳＴ１２０７に対応する。
【００５７】
図１９は、本発明の実施形態における進入検知部の具体例を原理で説明する説明図である。
【００５８】
同図は、進入検知部２４のアンテナ部をアンテナ１とアンテナ２のように配置した場合の電波強度分布を示す。同図において、指定エリアを対となったアンテナ１とアンテナ２で囲っておくと、役者担当スタッフ２がアンテナの上を越える際に、役者担当スタッフ２が所持する役者端末３または（役者担当スタッフ識別情報を記憶する）情報記憶媒体が図中の斜線部を通過することによって、進入検知部２４と端末または情報記憶媒体との通信が成立して、（進入検知部２４は、端末または情報記憶媒体から）役者担当スタッフ識別情報を読み取ることが出来る。
【００５９】
図２０は、本発明の実施形態における進入検知部の具体例を原理で説明する説明図である。
【００６０】
同図において、進入検知部２４は例えば対となったアンテナ１とアンテナ２で構成され、１／２λ（ラムダ、電波の波長）の倍数の間隔で設置する。縦方向ではアンテナ１の電波（電力）とアンテナ２の電波にズレはなく、その合成波は強くなる。同様に横方向では、アンテナ１とアンテナ２の電波に１／２λの位相のズレが生じるために、その合成波は相殺され、斜め方向ではアンテナ１とアンテナ２の電波に√２／２λのズレが生じるために、その合成波は弱くなる。
【図面の簡単な説明】
【００６１】
【図１】本発明の実施形態における役者支援システムが支援する役者の演技概要を説明する説明図
【図２】本発明の実施形態における役者支援システムの仕組みを説明する説明図
【図３】本発明の実施形態における役者支援システムの仕組みを説明する説明図
【図４】本発明の実施形態における役者支援システムの仕組みを説明する説明図
【図５】本発明の実施形態における役者端末のハードブロック図
【図６】本発明の実施形態における催し物管理システムサーバのハードブロック図
【図７】本発明の実施形態における催し物管理システムサーバの機能ブロック図
【図８】本発明の実施形態における役者端末の機能ブロック図
【図９】本発明の実施形態における催し物管理システムサーバの機能ブロック図
【図１０】図７に示す機能ブロック図に対応する催し物管理システムサーバの演算部におけるフローチャート
【図１１】図７に示す機能ブロック図に対応する催し物管理システムサーバの演算部におけるフローチャート
【図１２】図７に示す機能ブロック図に対応する催し物管理システムサーバの演算部におけるフローチャート
【図１３】図８に示す機能ブロック図に対応する役者端末の演算部におけるフローチャート
【図１４】図８に示す機能ブロック図に対応する役者端末の演算部におけるフローチャート
【図１５】図９に示す機能ブロック図に対応する催し物管理システムサーバの演算部におけるフローチャート
【図１６】本発明の実施形態における制御テーブルの具体例
【図１７】本発明の実施形態における制御テーブルの具体例
【図１８】本発明の実施形態における制御テーブルの具体例
【図１９】本発明の実施形態における進入検知部の具体例を原理で説明する説明図
【図２０】本発明の実施形態における進入検知部の具体例を原理で説明する説明図
【符号の説明】
【００６２】
１  来場者
２  役者担当スタッフ
２−１  第１の役者担当スタッフ
２−２  第２の役者担当スタッフ
３  役者端末
３−１  第１の役者端末
３−２  第２の役者端末
４  催し物管理システムサーバ
５  演技情報ＤＢ（データベース）
６  催し物運営者
７  位置情報提供システム
８  場所情報タグ
２１  識別情報ＤＢ
２２  地図情報ＤＢ
２３  外部システム
２４  進入検知部
【図１】
2005301680.tif 000003
【図２】
2005301680.tif 000004
【図３】
2005301680.tif 000005
【図４】
2005301680.tif 000006
【図５】
2005301680.tif 000007
【図６】
2005301680.tif 000008
【図７】
2005301680.tif 000009
【図８】
2005301680.tif 000010
【図９】
2005301680.tif 000011
【図１０】
2005301680.tif 000012
【図１１】
2005301680.tif 000013
【図１２】
2005301680.tif 000014
【図１３】
2005301680.tif 000015
【図１４】
2005301680.tif 000016
【図１５】
2005301680.tif 000017
【図１６】
2005301680.tif 000018
【図１７】
2005301680.tif 000019
【図１８】
2005301680.tif 000020
【図１９】
2005301680.tif 000021
【図２０】
2005301680.tif 000022